(57)【特許請求の範囲】
【請求項１】
座部と背もたれ部とを備える座具の座部に用いられる緩衝体であって、
座部に座る者の坐骨と膝との間に位置させて、左右に延びる滑り止め部が設けられ、
前記緩衝体は、
発泡材を内蔵する１つの材料で成形され、
下面に開口し、上方が閉塞された、座る者が座ったときの沈み込み量を調整するための調整穴が前記滑り止め部を除く他の部分に複数設けられており、
前記滑り止め部は、前記調整穴が設けられていないことにより、前記座部の他の部分よりも座る者が座ったときの前記沈み込み量が小さくなるように形成されたことを特徴とする座具の緩衝体。
【請求項２】
請求項１記載の座具の緩衝体であって、
前記滑り止め部は、その中央が最も前方に位置し、左右両端が最も後方に位置するように構成されていることを特徴とする座具の緩衝体。
【請求項３】
請求項２に記載の座具の緩衝体であって、
前記滑り止め部は、帯状であり、且つ、Ｖ字形状又はＵ字形状であることを特徴とする座具の緩衝体。
【発明の詳細な説明】
【技術分野】
【０００１】
本発明は、座部と背もたれ部とを備える座具の座部に用いられる緩衝体に関する。
【背景技術】
【０００２】
従来、座部と背もたれ部とを備える座具の座部に用いられる緩衝体が知られている（例えば、特許文献１参照）。
【０００３】
特許文献１のものでは、緩衝体本体の下面に調整穴が設けられている。調整穴のうち、座部に座る者の坐骨に対応する位置の調整穴は大径に、仙骨と大腿部に対応する位置の調整穴は大径よりも小さい中径に、仙骨と坐骨の周囲に位置する調整穴は中径よりも小さい小径に形成されている。
【先行技術文献】
【特許文献】
【０００４】
【特許文献１】特許第４１０２１１７号公報
【発明の概要】
【発明が解決しようとする課題】
【０００５】
従来の緩衝体は、座る者が座部に正常に座っている場合に効果を発揮するが、座具が背もたれ部を備えている場合、座る者が背もたれ部によりかかった結果、座る者の座部と接触する位置が次第にずれてしまうことがある。
【０００６】
座る者が座部に正常に座っていない場合、緩衝体の効果が薄れてしまう。
【０００７】
本発明は、以上の点に鑑み、座る者が背もたれ部によりかかっても座る者が快適に座部に座ることができる座具の緩衝体を提供することを目的とする。
【課題を解決するための手段】
【０００８】
［１］上記目的を達成するため、本発明は、
座部と背もたれ部とを備える座具の座部に用いられる緩衝体であって、
座部に座る者の坐骨と膝との間に位置させて、左右に延びる滑り止め部が設けられ、
前記緩衝体は、
発泡材を内蔵する１つの材料で成形され、
下面に開口し、上方が閉塞された、座る者が座ったときの沈み込み量を調整するための調整穴が前記滑り止め部を除く他の部分に複数設けられており、
前記滑り止め部は、前記調整穴が設けられていないことにより、前記座部の他の部分よりも座る者が座ったときの前記沈み込み量が小さくなるように形成されたことを特徴とする。
【０００９】
本発明によれば、座る者が背もたれ部に寄り掛かって座る者の座部と接触する位置がずれようとしても、座る者の坐骨及びその周辺が滑り止め部で阻止される。この結果、座る者が座部の緩衝体と適切な位置で接触し続けることができ、座る者が快適に座具に座ることができる。
また、本発明は、発泡材が内蔵する１つの材料で成形され、下面に開口し、上方が閉塞された、座る者が座ったときの沈み込み量を調整するための調整穴が滑り止め部を除く他の部分に複数設けられている。
かかる構成によれば、調整穴が上面に開口していないため、座る者が座部に座っても調整穴の存在を認識し難く、快適に座ることができる。また、調整穴が緩衝体の下面に開口しているため、上下面が両方閉塞されている場合と比較して調整穴の形成が容易である。
【００１０】
［２］また、本発明の滑り止め部は、その中央が最も前方に位置し、左右両端が最も後方に位置するように構成されていることが好ましい。
【００１１】
このように構成することにより、座具に座る者の足の付け根のラインと、滑り止め部の形状を対応させることができ、座る者が背もたれ部に寄り掛かって座部の適切な位置からずれようとしたとき、滑り止め部が比較的広い範囲で座る者の坐骨及びその周辺を受け止めることができる。これにより、座る者が感じる滑り止め部への接触する感覚を局所的なものではなく、比較的分散させることができ、座る者が感じる虞のある滑り止め部の不快感を緩和させることができる。
【００１２】
［３］また、本発明においては、滑り止め部を帯状に形成し、且つ、Ｖ字形状又はＵ字形状に形成することができる。
【００１３】
このように滑り止め部が構成されていることにより、座具に座る者の足の付け根のライン（腰と足の付け根の境界線）と、滑り止め部のＶ字形状又はＵ字形状を対応させることができ、座る者が背もたれ部に寄り掛かって座部の適切な位置からずれようとしたとき、滑り止め部が比較的広い範囲で座る者の坐骨及びその周辺を受け止めることができる。
【００１４】
そして、座る者が感じる滑り止め部への接触する感覚を、局所的なものではなく比較的分散させることができ、座る者が感じる虞のある滑り止め部の不快感を緩和させることができる。
【図面の簡単な説明】
【００１８】
【図１】本発明の実施形態の緩衝体を座部に用いた座具を側面から示す一部断面図。
【図２】本実施形態の緩衝体を上方から示す平面図。
【発明を実施するための形態】
【００１９】
図１に示すように、本発明の実施形態の座具１は、略矩形状の座部２と、座部２の後方から上方に向かって起立する背もたれ部３と、座部２の底面から下方に向かって延び、座部２を支える脚部４とを備える。なお、図１では、背もたれ部３の上方部分と、脚部４の下方部分とが省略されている。
【００２０】
座部２は、その上面に発泡材を内蔵した１つの材料であるウレタンで成形された緩衝体５を備えている。緩衝体５は、マットレス、またはクッションとも呼ばれるものである。
【００２１】
図２に斜線で示すように、緩衝体５には、中央部が最も前方に位置するように湾曲しながら左右方向にＶ字形状又はＵ字形状に延びる滑り止め部６が設けられている。緩衝体５には、その下面に開口し、上方が閉塞された複数の調整穴７が設けられている。
【００２２】
調整穴７は、滑り止め部６には設けられておらず、滑り止め部６を避けて配置されている。即ち、調整穴７を設けないことによって、他の部分よりも沈み込み量が小さくなる滑り止め部６が形成されている。本実施形態においては、滑り止め部６は前後方向幅を５０ｍｍに設定している。また、調整穴７は、穴の深さが深くて大径の大径調整穴７Ｈと、大径調整穴７Ｈよりも穴の深さが浅くて小径の小径調整穴７Ｌとで構成されている。
【００２３】
また、調整穴７は、図１に断面で示した緩衝体５から明らかなように穴が奥（上方）に向かうに従って次第に小径になるように滑らかに湾曲した波型の穴形状となっている。
【００２４】
また、図１に示すように、滑り止め部６は、座具１に座る者Ａの坐骨Ｘと膝Ｙとの間に位置させて左右に延びるように配置されている。これにより、座る者Ａの臀部が滑り止め部６を支点として緩衝体５に深く沈み込み、座る者Ａが適切な位置で座部２に座ることができる。
【００２５】
更に、発明者は、実験により、座部２に圧力センサを設置し、本実施形態の滑り止め部６がある座具１と、比較例として滑り止め部がない座具との圧力の分布を比較した。その結果、本実施形態の滑り止め部６を設けた座具１の方が、比較例の滑り止め部が無い座具よりも、座る者の坐骨及びその周辺に対応する座部の部分の圧力が高く検出されることを確認した。このことからも、本実施形態の座具１によれば、座る者Ａの臀部が緩衝体５に深く沈み込んでいることがわかる。
【００２６】
また、図２に示すように、滑り止め部６の前方には、前方に向かって小径調整穴７Ｌ、大径調整穴７Ｈの順に配置している。これにより、座る者Ａが座部２の前縁部で大腿部に緩衝体５から不快な圧迫を感じることを防止することができる。
【００２７】
本実施形態の座具１の緩衝体５によれば、座る者Ａが背もたれ部３に寄り掛かって座る者Ａの座部２と接触する位置がずれようとしても、座る者Ａの坐骨Ｘ及びその周辺が滑り止め部６で阻止される。この結果、座る者Ａが座部２の緩衝体５と適切な位置で接触し続けることができ、座る者Ａが快適に座具１に座ることができる。
【００２８】
また、本実施形態の滑り止め部６は、その中央が最も前方に位置し、左右両端が最も後方に位置するように構成されている。このように滑り止め部６が構成されていることにより、座具１に座る者Ａの足の付け根のライン（腰と足の付け根の境界線）と、滑り止め部６のＶ字形状を対応させることができ、座る者Ａが背もたれ部３に寄り掛かって座部２の適切な位置からずれようとしたとき、滑り止め部６が比較的広い範囲で座る者Ａの坐骨Ｘ及びその周辺を受け止めることができる。これにより、座る者Ａが感じる滑り止め部６への接触する感覚を、局所的なものではなく比較的分散させることができ、座る者Ａが感じる虞のある滑り止め部６の不快感を緩和させることができる。
【００２９】
また、本実施形態の緩衝体５は、発泡材を内蔵する１つの材料で成形され、下面に開口し、上方が閉塞された、沈み込み量を調整するための調整穴が前記滑り止め部を除く他の部分に複数設けられている。
【００３０】
かかる構成により、調整穴７が上面に開口していないため、座る者Ａが座部２に座っても調整穴７の存在を認識し難く、快適に座部２に座ることができる。また、調整穴７が緩衝体５の下面に開口しているため、上下面が両方閉塞されている場合と比較して調整穴７の形成が容易である。
【００３１】
なお、脚部４はなくてもよく、座部２を直接床に配置するタイプの座具にも本発明の緩衝体を用いることができる。
【００３２】
また、滑り止め部は、必ずしも全て連続している必要はなく、例えば、中央で分割されて、分割された滑り止め部が左右一対設けられていてもよい。
【００３４】
また、本実施形態においては、発泡材を内蔵した材料で成形した緩衝体を用いて説明したが、本発明の緩衝体はこれに限らず他のもので構成してもよい。
【００３５】
また、本発明の滑り止め部は、Ｖ字形状に限らず、例えば、Ｕ字形状であっても左右に真直ぐに延びる直線形状であってもよい。
【符号の説明】
【００３６】
１  座具
２  座部
３  背もたれ部
４  脚部
５  緩衝体
６  滑り止め部
７  調整穴
【図１】
0006596265.tif 000002
【図２】
0006596265.tif 000003